【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
複数の撮像デバイスにより同時に撮像が行われることにより生成される複数の撮像画像を、複数の前記撮像デバイスの位置関係に対応する形態で表示させ、表示された複数の前記撮像画像のうちの一の画像である基準画像から、複数の前記撮像画像のうちの他の画像であり、表示の切り替え先の画像である切替先画像へと、画像を切り替えて表示させる表示制御部を備え、
前記表示制御部は、
前記基準画像に対応する撮像デバイスと前記切替先画像に対応する撮像デバイスとの位置関係に基づいて、選択的に１または２以上の補完画像を補い、
前記補完画像が補われた場合には、前記切替先画像を表示させる前に前記補完画像を表示させる、情報処理装置。
【請求項２】
前記表示制御部は、前記基準画像に対応する撮像デバイスと前記切替先画像に対応する撮像デバイスとの距離に基づいて、前記補完画像を選択的に補う、請求項１に記載の情報処理装置。
【請求項３】
前記表示制御部は、画像を切り替えて表示させる場合には、前記基準画像に対応する撮像デバイスと前記切替先画像に対応する撮像デバイスとの位置関係に基づき設定された、画像の表示の切り替えに係る仮想的な表示の切り替え経路である仮想パスに対応する画像を、表示させる、請求項１または２に記載の情報処理装置。
【請求項４】
前記表示制御部は、前記仮想パスに対応する画像を前記補完画像として補い、補われた前記補完画像を表示させる、請求項３に記載の情報処理装置。
【請求項５】
前記補完画像として補われる前記仮想パスに対応する画像は、前記仮想パス上に位置する撮像デバイスにより撮像された撮像画像と、前記仮想パス上に位置する仮想的な撮像デバイスから撮像された撮像画像に相当するように生成された生成画像との、一方または双方である、請求項４に記載の情報処理装置。
【請求項６】
前記表示制御部は、前記基準画像に対応する撮像デバイスの位置と前記仮想パスとに基づいて、前記基準画像に替えて、前記基準画像に対して画像処理が行われた基準画像に基づく画像を、前記仮想パスに対応する画像として選択的に表示させる、請求項３〜５のいずれか１項に記載の情報処理装置。
【請求項７】
前記表示制御部は、
前記基準画像に対応する撮像デバイスの位置が前記仮想パス上にない場合に、前記基準画像を、前記仮想パス上に位置する仮想的な撮像デバイスから撮像された撮像画像に相当する画像となるように画像処理して、前記基準画像に基づく画像を生成し、
生成された前記基準画像に基づく画像を表示させる、請求項６に記載の情報処理装置。
【請求項８】
前記表示制御部は、前記切替先画像に対応する撮像デバイスの位置と前記仮想パスとに基づいて、前記切替先画像に替えて、前記切替先画像に対して画像処理が行われた切替先画像に基づく画像を、前記仮想パスに対応する画像として選択的に表示させる、請求項３〜７のいずれか１項に記載の情報処理装置。
【請求項９】
前記表示制御部は、
前記切替先画像に対応する撮像デバイスの位置が前記仮想パス上にない場合に、前記切替先画像を、前記仮想パス上に位置する仮想的な撮像デバイスから撮像された撮像画像に相当する画像となるように画像処理して、前記切替先画像に基づく画像を生成し、
生成された前記切替先画像に基づく画像を表示させる、請求項８に記載の情報処理装置。
【請求項１０】
前記表示制御部は、ユーザが画像の切り替えに関する操作を行うことが可能な操作画面を表示させ、
前記操作画面に対するユーザ操作に基づいて、画像を切り替えて表示させる、請求項１〜９のいずれか１項に記載の情報処理装置。
【請求項１１】
前記操作画面には、複数の前記撮像画像が選択可能な状態で表示され、
前記表示制御部は、前記撮像画像を選択するユーザ操作に基づいて、画像を切り替えて表示させる、請求項１０に記載の情報処理装置。
【請求項１２】
前記操作画面には、複数の前記撮像画像それぞれに対応する前記撮像デバイスの位置関係が、前記撮像デバイスを選択可能な状態で表示され、
前記表示制御部は、前記撮像デバイスを選択するユーザ操作に基づいて、画像を切り替えて表示させる、請求項１０に記載の情報処理装置。
【請求項１３】
複数の撮像画像を、複数の前記撮像デバイスの位置関係に基づき並べる並べ替え部をさらに備え、
前記表示制御部は、並べられた複数の撮像画像の並び順に従って、複数の撮像画像を表示させる、請求項１〜１２のいずれか１項に記載の情報処理装置。
【請求項１４】
前記並べ替え部は、複数の前記撮像画像のうちのユーザにより指定された撮像画像を除外して、複数の前記撮像画像を並べる、請求項１３に記載の情報処理装置。
【請求項１５】
前記並べ替え部は、複数の前記撮像画像のうちの所定のオブジェクトが含まれない撮像画像を除外して、複数の前記撮像画像を並べる、請求項１３または１４に記載の情報処理装置。
【請求項１６】
前記所定のオブジェクトは、ユーザにより選択されたオブジェクト、または、複数の前記撮像画像から検出されるオブジェクトである、請求項１５に記載の情報処理装置。
【請求項１７】
前記並べ替え部は、前記撮像画像に含まれる色と前記撮像画像の解像度との一方または双方に基づいて前記撮像画像を除外して、複数の前記撮像画像を並べる、請求項１３〜１６のいずれか１項に記載の情報処理装置。
【請求項１８】
複数の前記撮像デバイスは、所定の領域内、または、複数の前記撮像デバイスが同一の被写体を撮像することが可能な場所に配置される、請求項１〜１７のいずれか１項に記載の情報処理装置。
【請求項１９】
複数の撮像デバイスにより同時に撮像が行われることにより生成される複数の撮像画像を、複数の前記撮像デバイスの位置関係に対応する形態で表示させ、表示された複数の前記撮像画像のうちの一の画像である基準画像から、複数の前記撮像画像のうちの他の画像であり、表示の切り替え先の画像である切替先画像へと、画像を切り替えて表示させるステップを有し、
前記表示させるステップでは、
前記基準画像に対応する撮像デバイスと前記切替先画像に対応する撮像デバイスとの位置関係に基づいて、選択的に１または２以上の補完画像が補われ、
前記補完画像が補われた場合には、前記切替先画像を表示させる前に前記補完画像が表示される、情報処理装置により実行される情報処理方法。
【請求項２０】
複数の撮像デバイスにより同時に撮像が行われることにより生成される複数の撮像画像を、複数の前記撮像デバイスの位置関係に対応する形態で表示させ、表示された複数の前記撮像画像のうちの一の画像である基準画像から、複数の前記撮像画像のうちの他の画像であり、表示の切り替え先の画像である切替先画像へと、画像を切り替えて表示させるステップをコンピュータに実行させ、
前記表示させるステップでは、
前記基準画像に対応する撮像デバイスと前記切替先画像に対応する撮像デバイスとの位置関係に基づいて、選択的に１または２以上の補完画像が補われ、
前記補完画像が補われた場合には、前記切替先画像を表示させる前に前記補完画像が表示される、プログラム。
【手続補正２】
【補正対象書類名】明細書
【補正対象項目名】００９７
【補正方法】変更
【補正の内容】
【００９７】
また、本実施形態に係る情報処理装置は、画像を切り替える際には、基準画像に対応する撮像デバイスと切替先画像に対応する撮像デバイスとの位置関係に基づいて、選択的に１または２以上の補完画像を補う。そして、補完画像が補われた場合には、本実施形態に係る情報処理装置は、例えば図４のＢに示すように、切替先画像を表示させる前に補完画像を表示させる。
【手続補正３】
【補正対象書類名】明細書
【補正対象項目名】０１５３
【補正方法】変更
【補正の内容】
【０１５３】
基準画像から切替先画像への画像の切り替えに係る仮想パスＰは、例えば図１１ＢのＡに示すように、基準画像に対応する撮像デバイスＣａｍ１と切替先画像に対応する撮像デバイスＣａｍ４との間に位置する、撮像デバイスＣａｍ２、Ｃａｍ３を経由するように設定される。例えば図１１ＢのＡに示すように仮想パスＰが設定されることによって、撮像デバイスＣａｍ２、Ｃａｍ３により撮像された撮像画像を、補完画像として利用することができる。なお、上述したように、本実施形態に係る仮想パスは、例えばユーザ操作などに基づき任意の設定することが可能である。
【手続補正４】
【補正対象書類名】明細書
【補正対象項目名】０１６３
【補正方法】変更
【補正の内容】
【０１６３】
また、選択領域Ｓ２では、例えば図１２のＢのＩに示すように、“主画像表示領域Ｖに表示されている撮像画像に対応する撮像デバイスに対して色が付されること”や、“主画像表示領域Ｖに表示されている撮像画像に対応する撮像デバイスのサイズが他の撮像デバイスよりも大きく表示されること”、“主画像表示領域Ｖに表示されている撮像画像に対応する撮像デバイスに対して文字が付されること”などによって、主画像表示領域Ｖに表示されている撮像画像に対応する撮像デバイスが明示されていてもよい。
【手続補正５】
【補正対象書類名】明細書
【補正対象項目名】０２０３
【補正方法】変更
【補正の内容】
【０２０３】
記録媒体１５６は、記憶部（図示せず）として機能し、例えば、被写体の特徴を示すデータなどの本実施形態に係る情報処理方法に係るデータや、各種アプリケーションなど様々なデータを記憶する。ここで、記録媒体１５６としては、例えば、ハードディスクなどの磁気記録媒体や、フラッシュメモリなどの不揮発性メモリが挙げられる。また、記録媒体１５６は、情報処理装置１００から着脱可能であってもよい。
【手続補正６】
【補正対象書類名】明細書
【補正対象項目名】０２４１
【補正方法】変更
【補正の内容】
【０２４１】
なお、以下のような構成も本開示の技術的範囲に属する。
（１）
複数の撮像デバイスにより同時に撮像が行われることにより生成される複数の撮像画像を、複数の前記撮像デバイスの位置関係に対応する形態で表示させ、表示された複数の前記撮像画像のうちの一の画像である基準画像から、複数の前記撮像画像のうちの他の画像であり、表示の切り替え先の画像である切替先画像へと、画像を切り替えて表示させる表示制御部を備え、
前記表示制御部は、
前記基準画像に対応する撮像デバイスと前記切替先画像に対応する撮像デバイスとの位置関係に基づいて、選択的に１または２以上の補完画像を補い、
前記補完画像が補われた場合には、前記切替先画像を表示させる前に前記補完画像を表示させる、情報処理装置。
（２）
前記表示制御部は、前記基準画像に対応する撮像デバイスと前記切替先画像に対応する撮像デバイスとの距離に基づいて、前記補完画像を選択的に補う、（１）に記載の情報処理装置。
（３）
前記表示制御部は、画像を切り替えて表示させる場合には、前記基準画像に対応する撮像デバイスと前記切替先画像に対応する撮像デバイスとの位置関係に基づき設定された、画像の表示の切り替えに係る仮想的な表示の切り替え経路である仮想パスに対応する画像を、表示させる、（１）、または（２）に記載の情報処理装置。
（４）
前記表示制御部は、前記仮想パスに対応する画像を前記補完画像として補い、補われた前記補完画像を表示させる、（３）に記載の情報処理装置。
（５）
前記補完画像として補われる前記仮想パスに対応する画像は、前記仮想パス上に位置する撮像デバイスにより撮像された撮像画像と、前記仮想パス上に位置する仮想的な撮像デバイスから撮像された撮像画像に相当するように生成された生成画像との、一方または双方である、（４）に記載の情報処理装置。
（６）
前記表示制御部は、前記基準画像に対応する撮像デバイスの位置と前記仮想パスとに基づいて、前記基準画像に替えて、前記基準画像に対して画像処理が行われた基準画像に基づく画像を、前記仮想パスに対応する画像として選択的に表示させる、（３）〜（５）のいずれか１つに記載の情報処理装置。
（７）
前記表示制御部は、
前記基準画像に対応する撮像デバイスの位置が前記仮想パス上にない場合に、前記基準画像を、前記仮想パス上に位置する仮想的な撮像デバイスから撮像された撮像画像に相当する画像となるように画像処理して、前記基準画像に基づく画像を生成し、
生成された前記基準画像に基づく画像を表示させる、（６）に記載の情報処理装置。
（８）
前記表示制御部は、前記切替先画像に対応する撮像デバイスの位置と前記仮想パスとに基づいて、前記切替先画像に替えて、前記切替先画像に対して画像処理が行われた切替先画像に基づく画像を、前記仮想パスに対応する画像として選択的に表示させる、（３）〜（７）のいずれか１つに記載の情報処理装置。
（９）
前記表示制御部は、
前記切替先画像に対応する撮像デバイスの位置が前記仮想パス上にない場合に、前記切替先画像を、前記仮想パス上に位置する仮想的な撮像デバイスから撮像された撮像画像に相当する画像となるように画像処理して、前記切替先画像に基づく画像を生成し、
生成された前記切替先画像に基づく画像を表示させる、（８）に記載の情報処理装置。
（１０）
前記表示制御部は、ユーザが画像の切り替えに関する操作を行うことが可能な操作画面を表示させ、
前記操作画面に対するユーザ操作に基づいて、画像を切り替えて表示させる、（１）〜（９）のいずれか１つに記載の情報処理装置。
（１１）
前記操作画面には、複数の前記撮像画像が選択可能な状態で表示され、
前記表示制御部は、前記撮像画像を選択するユーザ操作に基づいて、画像を切り替えて表示させる、（１０）に記載の情報処理装置。
（１２）
前記操作画面には、複数の前記撮像画像それぞれに対応する前記撮像デバイスの位置関係が、前記撮像デバイスを選択可能な状態で表示され、
前記表示制御部は、前記撮像デバイスを選択するユーザ操作に基づいて、画像を切り替えて表示させる、（１０）に記載の情報処理装置。
（１３）
複数の撮像画像を、複数の前記撮像デバイスの位置関係に基づき並べる並べ替え部をさらに備え、
前記表示制御部は、並べられた複数の撮像画像を、複数の前記撮像デバイスの位置関係に対応する形態で表示させる、（１）〜（１２）のいずれか１つに記載の情報処理装置。
（１４）
前記並べ替え部は、複数の前記撮像画像のうちのユーザにより指定された撮像画像を除外して、複数の前記撮像画像を並べる、（１３）に記載の情報処理装置。
（１５）
前記並べ替え部は、複数の前記撮像画像のうちの所定のオブジェクトが含まれない撮像画像を除外して、複数の前記撮像画像を並べる、（１３）、または（１４）に記載の情報処理装置。
（１６）
前記所定のオブジェクトは、ユーザにより選択されたオブジェクト、または、複数の前記撮像画像から検出されるオブジェクトである、（１５）に記載の情報処理装置。
（１７）
前記並べ替え部は、前記撮像画像に含まれる色と前記撮像画像の解像度との一方または双方に基づいて前記撮像画像を除外して、複数の前記撮像画像を並べる、（１３）〜（１６）のいずれか１つに記載の情報処理装置。
（１８）
複数の前記撮像デバイスは、所定の領域内、または、複数の前記撮像デバイスが同一の被写体を撮像することが可能な場所に配置される、（１）〜（１７）のいずれか１つに記載の情報処理装置。
（１９）
複数の撮像デバイスにより同時に撮像が行われることにより生成される複数の撮像画像を、複数の前記撮像デバイスの位置関係に対応する形態で表示させ、表示された複数の前記撮像画像のうちの一の画像である基準画像から、複数の前記撮像画像のうちの他の画像であり、表示の切り替え先の画像である切替先画像へと、画像を切り替えて表示させるステップを有し、
前記表示させるステップでは、
前記基準画像に対応する撮像デバイスと前記切替先画像に対応する撮像デバイスとの位置関係に基づいて、選択的に１または２以上の補完画像が補われ、
前記補完画像が補われた場合には、前記切替先画像を表示させる前に前記補完画像が表示される、情報処理装置により実行される情報処理方法。
（２０）
複数の撮像デバイスにより同時に撮像が行われることにより生成される複数の撮像画像を、複数の前記撮像デバイスの位置関係に対応する形態で表示させ、表示された複数の前記撮像画像のうちの一の画像である基準画像から、複数の前記撮像画像のうちの他の画像であり、表示の切り替え先の画像である切替先画像へと、画像を切り替えて表示させるステップをコンピュータに実行させ、
前記表示させるステップでは、
前記基準画像に対応する撮像デバイスと前記切替先画像に対応する撮像デバイスとの位置関係に基づいて、選択的に１または２以上の補完画像が補われ、
前記補完画像が補われた場合には、前記切替先画像を表示させる前に前記補完画像が表示される、プログラム。
（２１）
複数の撮像装置と、
複数の前記撮像装置により同時に撮像が行われることにより生成される複数の撮像画像を処理する情報処理装置と、
を有し、
前記情報処理装置は、
複数の前記撮像画像を複数の前記撮像装置の位置関係に対応する形態で表示させ、表示された複数の前記撮像画像のうちの一の画像である基準画像から、複数の前記撮像画像のうちの他の画像であり、表示の切り替え先の画像である切替先画像へと、画像を切り替えて表示させる表示制御部を備え、
前記表示制御部は、
前記基準画像に対応する撮像装置と前記切替先画像に対応する撮像装置との位置関係に基づいて、選択的に１または２以上の補完画像を補い、
前記補完画像が補われた場合には、前記切替先画像を表示させる前に前記補完画像を表示させる、情報処理システム。